(57)【要約】【課題】  災害情報の収集において、信頼度の高い被害に関する情報の収集を広く行うことを可能とする。【解決手段】  情報提供端末から入力された被害状況の画像および映像データやテキストデータなどの被害に関する情報を取得する被害情報取得部と、画像および映像データに埋め込まれた位置情報、情報提供端末から入力された住所もしくは地図座標または緯度経度情報、から被害位置と被害位置取得手段の情報を取得し、情報提供端末のＩＰアドレス、識別パラメータ、情報提供端末から入力された住所もしくは地図座標または緯度経度情報から報告位置と位置取得方法の情報を取得する位置情報取得部と、被害位置と報告位置の関係等からその被害に関する情報の信頼度を算出する情報信頼度算出部と、を備える災害情報収集サーバを用いた災害情報収集システムを提供する。【選択図】  図１
2009099024.tif 000002
【特許請求の範囲】
【請求項１】
災害の被害情報を収集する災害情報収集装置であって、
記憶部と、
前記被害情報を受信して前記記憶部に記憶するよう指示する被害情報取得部と、
前記災害による被害が発生した場所を示す被害位置と、報告を行っている場所を示す報告位置と、を受信して前記記憶部に記憶するよう指示する位置情報取得部と、
前記被害位置と前記報告位置との間の距離が近い程、前記被害情報の信頼度を高く算出する情報信頼度算出部と、
前記被害情報を表示する要求を受け付けると、前記被害情報の信頼度の高い順に前記被害情報を表示させる情報表示部と、
を備えたことを特徴とする災害情報収集装置。
【請求項２】
請求項１に記載の災害情報収集装置であって、
前記被害情報取得部は、前記被害情報を取得した時刻を含む前記被害情報を受信して前記記憶部に記憶するよう指示し、前記被害情報を前記記憶部に記憶した時刻を前記記憶部に記憶するよう指示し、
前記情報信頼度算出部は、前記被害位置と前記報告位置との間の距離が近い程、また、前記被害情報を取得した時刻と前記被害情報を前記記憶部に記憶した時刻との時間差が小さい程、前記被害情報の信頼度を高く算出する、
ことを特徴とする災害情報収集装置。
【請求項３】
請求項２に記載の災害情報収集装置であって、
前記情報信頼度算出部は、さらに、前記被害位置から前記報告位置への平均移動速度が所定の速度より高い場合に、前記被害情報の信頼度を下げる、
ことを特徴とする災害情報収集装置。
【請求項４】
請求項１に記載の災害情報収集装置であって、
前記位置情報取得部は、前記災害による被害が発生した場所を示す被害位置の取得方法を、受信した被害位置を指定する情報から特定し、報告を行っている場所を示す報告位置の取得方法を、受信した報告位置を指定する情報から特定し、特定した前記被害位置の取得方法と、特定した前記報告位置の取得方法と、を前記記憶部に記憶するよう指示し、
前記情報信頼度算出部は、前記被害位置と前記報告位置との間の距離が近い程、また、前記被害位置と前記報告位置の取得方法の客観性が高い程、前記被害情報の信頼度を高く算出する、
ことを特徴とする災害情報収集装置。
【請求項５】
請求項４に記載の災害情報収集装置であって、
前記情報信頼度算出部は、前記被害位置と前記報告位置との間の距離が近い程、また、前記被害位置の取得方法が、前記被害情報に含まれる画像データにより取得したものである場合、または、前記報告位置の取得方法が、前記被害情報に含まれるＧＰＳの取得データにより取得したものである場合、前記被害情報の信頼度を高く算出する、
ことを特徴とする災害情報収集装置。
【請求項６】
請求項１に記載の災害情報収集装置であって、
前記被害情報取得部は、前記被害情報として、被害発生地を特定できる被害位置情報を含む画像または映像データを受信して前記記憶部に記憶するよう指示し、
前記位置情報取得部は、前記災害による被害が発生した場所を示す被害位置として、前記被害情報取得部が受信した前記画像または映像データに含まれる被害位置情報を用いる、
ことを特徴とする災害情報収集装置。
【請求項７】
請求項１に記載の災害情報収集装置であって、
前記位置情報取得部は、前記報告を行っている場所を示す報告位置を、報告を行っている端末から受信した端末のアドレスから特定した報告場所の位置とする、
ことを特徴とする災害情報収集装置。
【請求項８】
請求項１に記載の災害情報収集装置であって、
前記位置情報取得部は、予め定めた報告位置に固有の接続パラメータを受信したことで前記報告を行っている場所を示す報告位置を特定する、
ことを特徴とする災害情報収集装置。
【請求項９】
災害の被害情報を収集する災害情報収集システムであって、
災害情報収集装置と、
前記被害情報の入力を受け付けて前記災害情報収集装置に送信し、前記災害情報収集装置から出力指示を受け付けて出力する情報提供端末と、を備え、
前記災害情報集装置は、記憶部と、
前記被害情報を受信して前記記憶部に記憶するよう指示する被害情報取得部と、
前記災害による被害が発生した場所を示す被害位置と、報告を行っている場所を示す報告位置と、を受信して前記記憶部に記憶するよう指示する位置情報取得部と、
前記被害位置と前記報告位置との間の距離が近い程、前記被害情報の信頼度を高く算出する情報信頼度算出部と、
前記被害情報を表示する要求を受け付けると、前記被害情報の信頼度の高い順に被害情報を表示させる情報表示部と、
を備えたことを特徴とする災害情報収集システム。
【請求項１０】
請求項９に記載の災害情報収集システムであって、
前記災害情報収集装置の前記被害情報取得部は、前記被害情報を取得した時刻を含む前記被害情報を受信して前記記憶部に記憶するよう指示し、前記被害情報を前記記憶部に記憶した時刻を前記記憶部に記憶するよう指示し、
前記情報信頼度算出部は、前記被害位置と前記報告位置との間の距離が近い程、また、前記被害情報を取得した時刻と前記被害情報を前記記憶部に記憶した時刻との時間差が小さい程、前記被害情報の信頼度を高く算出する、
ことを特徴とする災害情報収集システム。
【請求項１１】
請求項１０に記載の災害情報収集システムであって、
前記災害情報収集装置の前記情報信頼度算出部は、さらに、前記算出した信頼度に対して、前記被害位置から前記報告位置への平均移動速度が所定の速度より高い場合に、前記被害情報の信頼度を下げる、
ことを特徴とする災害情報収集システム。
【請求項１２】
請求項９に記載の災害情報収集システムであって、
前記災害情報収集装置の前記位置情報取得部は、前記災害による被害が発生した場所を示す被害位置の取得方法を、受信した被害位置を指定する情報から特定し、報告を行っている場所を示す報告位置の取得方法を、受信した報告位置を指定する情報から特定し、特定した前記被害位置の取得方法と、特定した前記報告位置の取得方法と、を前記記憶部に記憶するよう指示し、
前記情報信頼度算出部は、前記被害位置と前記報告位置との間の距離が近い程、また、前記被害位置と前記報告位置の取得方法の客観性が高い程、前記被害情報の信頼度を高く算出する、
ことを特徴とする災害情報収集システム。
【請求項１３】
請求項９に記載の災害情報収集システムであって、
前記災害情報収集装置の前記被害情報取得部は、前記被害情報として、被害発生地を特定できる被害位置情報を含む画像または映像データを受信して前記記憶部に記憶するよう指示し、
前記位置情報取得部は、前記災害による被害が発生した場所を示す被害位置として、前記被害情報取得部が受信した前記画像または映像データに含まれる被害位置情報を用いる、
ことを特徴とする災害情報収集システム。
【請求項１４】
請求項９に記載の災害情報収集システムであって、
前記災害情報収集装置の前記位置情報取得部は、前記報告を行っている場所を示す報告位置を、報告を行っている端末から受信した端末のアドレスから特定した報告場所の位置とする、
ことを特徴とする災害情報収集システム。
【請求項１５】
請求項９に記載の災害情報収集システムであって、
前記災害情報収集装置の前記位置情報取得部は、予め定めた報告位置に固有の接続パラメータを受信したことで前記報告を行っている場所を示す報告位置を特定する、
ことを特徴とする災害情報収集システム。
【請求項１６】
災害の被害情報を収集する災害情報収集装置のプログラムであって、
前記災害情報収集装置は、記憶部と、制御部と、を備え、
前記災害情報収集装置に、
前記被害情報を受信して前記記憶部に記憶するよう指示する被害情報取得機能と、
前記災害による被害が発生した場所を示す被害位置と、報告を行っている場所を示す報告位置と、を受信して前記記憶部に記憶するよう指示する位置取得機能と、
前記被害位置と前記報告位置との間の距離が近い程、前記被害情報の信頼度を高く算出する情報信頼度算出機能と、
前記被害情報を表示する要求を受け付けると、前記被害情報の信頼度の高い順に前記被害情報を表示させる情報表示機能と、
を実現させるためのプログラム。
【請求項１７】
災害情報収集装置が災害の被害情報を収集する災害情報収集方法であって、
前記災害情報収集装置は、
記憶部を備え、
前記被害情報を受信して前記記憶部に記憶し、
前記災害による被害が発生した場所を示す被害位置と、報告を行っている場所を示す報告位置と、を受信して前記記憶部に記憶し、
前記被害位置と前記報告位置との間の距離が近い程、前記被害情報の信頼度を高く算出し、
前記被害情報を表示する要求を受け付けると、前記被害情報の信頼度の高い順に前記被害情報を表示させる、
ことを特徴とする災害情報収集方法。
【発明の詳細な説明】
【技術分野】
【０００１】
本発明は、災害時に道路や建物などの被害状況の情報収集を行う技術に関する。
【背景技術】
【０００２】
大規模な地震や台風などが発生した際に、主として被災地にある自治体はその災害への対応（例えば被災した住民の支援）や復旧の計画のために、建物や道路などの被害状況の情報を収集する。具体的には、自治体の職員やボランティアなどを被害現場に派遣して、被害の発生した位置、被害の種類、被害の程度などに関して、文字、画像、映像などによる情報を収集する。正確な情報をいかに多く集めるかが、災害情報の収集では重要であると考えられている。
【０００３】
特許文献１では、自治体の職員、ボランティア、警察、消防といった公共の情報収集手段を補完することを目的として、報告者が予め携行している識別カードを読み取る装置と、映像機器との標準的なインターフェイスとを備えた公衆電話を利用した災害情報収集システムと防災センターに関する技術が開示されている。防災センターは、報告者に関する情報を保持しておき、識別カードに記憶された識別情報または報告者から入力された識別情報を使って、提供された災害情報の信頼度を算定する。また、公衆電話に映像機器との標準インターフェイスを備えることで、一般的な映像機器により撮影された映像情報を取得する。これらにより、自治体等は信頼度の高い災害情報を収集することができる。
【０００４】
【特許文献１】特開２００３−８７４３５号公報
【発明の開示】
【発明が解決しようとする課題】
【０００５】
上記特許文献１に記載の技術では、限られた数の報告者に対して、予め防災センターに登録した識別カードを配布し、報告を受け付ける。そのため、報告される情報量が十分でない場合がある。
【０００６】
そこで、本発明は、被害情報の信頼度を高く保ちつつ、被災者その他の一般人からの被害情報を広く収集する技術の提供を目的とする。
【課題を解決するための手段】
【０００７】
本願に係る情報技術は、上記課題を解決するため、被害情報を受け付け、被害の発生した位置と共にその報告がなされた位置を特定し、これらの位置関係およびその他の関係からその被害情報の信頼度を数値化して記憶する制御部を備える。
【０００８】
例えば、災害の被害情報を収集する災害情報収集装置であって、記憶部と、前記被害情報を受信して前記記憶部に記憶するよう指示する被害情報取得部と、前記災害による被害が発生した場所を示す被害位置と、報告を行っている場所を示す報告位置と、を受信して前記記憶部に記憶するよう指示する位置情報取得部と、前記被害位置と前記報告位置との間の距離が近い程、前記被害情報の信頼度を高く算出する情報信頼度算出部と、前記被害情報を表示する要求を受け付けると、前記被害情報の信頼度の高い順に前記被害情報を表示させる情報表示部と、を備えたことを特徴とする。
【発明の効果】
【０００９】
本発明によれば、被害に関する情報の信頼度を高く保ちつつ、被害に関する情報を迅速に収集することが可能となる。
【発明を実施するための最良の形態】
【００１０】
以下に、本発明の実施形態について図１〜図１１を用いて説明する。
【００１１】
図１は、本発明の第一の実施形態の災害情報収集システム１を示す図である。災害情報システム１は、災害情報収集サーバ１００と、ネットワーク１５０を介して災害情報収集サーバ１００と通信を行うことができる情報提供端末１７０と、ネットワーク１５０を介して災害情報収集サーバ１００と通信を行うことができる地理情報システム１６０と、を有する。
【００１２】
このうち、情報提供端末１７０は、例えば、クライアントＰＣ（パーソナルコンピュータ）や、ワークステーション、各種携帯電話端末、ＰＤＡ（Personal Digital Assistant）、デジタルカメラなどの端末装置である。なお、通常、災害情報システム１は、情報提供端末１７０を複数有する。
【００１３】
地理情報システム１６０は、地図情報、住所情報、表示位置情報（例えば表示された地図上での相対位置）、位置情報（例えば緯度経度情報）を蓄積し、これらのうちいずれかの情報を入力として受け付け、別のいずれかの情報に変換して出力する機能や、入力として受け付けた２地点間の距離を算出する機能等を有する。
【００１４】
例えば、地図上の指定された位置情報からその位置情報に対応する緯度経度情報を算出したり、緯度経度情報で指定された２地点の間を結ぶ複数の経路を探索してそれぞれの経路ごとにコスト（例えば所要時間）に換算し、コストが最小となる経路を推奨経路とすることで経路探索したり、またその探索した経路の道のりを算出することができる。
【００１５】
また例えば、表示された地図上での指定位置を受け付け、表示の中心の緯度経度と縮尺をもとに指定位置の緯度経度を算出する。
【００１６】
また、地理情報システム１６０と災害情報収集サーバ１００は、ネットワーク１５０を介して接続された別個のシステムとして構成してもよいし、災害情報収集サーバ１００が地理情報システム１６０の機能を備える構成としてもよい。
【００１７】
次に、災害情報収集サーバ１００について説明する。
【００１８】
災害情報収集サーバ１００は、図１に示すように、記憶部１２０と、制御部１３０と、を有する。
【００１９】
記憶部１２０は、その記憶領域として、被害情報およびその他の情報を記憶するための被害情報テーブル２００を格納する被害情報記憶領域１２１と、報告位置情報テーブル３００を格納する報告位置情報記憶領域１２２と、信頼度スコアテーブル４００を格納する信頼度記憶領域１２３と、を有する。
【００２０】
図２に、被害情報テーブル２００の構成例を示す。被害情報テーブル２００は、被害位置欄２０１と、報告位置欄２０２と、撮影日時欄２０３と、報告日時欄２０４と、報告者欄２０５と、被害状況（テキスト）欄２０６と、被害状況（画像および動画）欄２０７と、被害位置取得方法欄２０８と、報告位置取得方法欄２０９と、確認状況欄２１０と、目撃者数欄２１１と、関連情報欄２１２と、情報信頼度欄２１３と、を有する。
【００２１】
被害位置欄２０１には、被害が発生している現場の位置を緯度経度により表現した座標を示す情報が記憶される。
【００２２】
報告位置欄２０２には、報告者が報告を行った位置を緯度経度により表現した座標を示す情報が記憶される。
【００２３】
撮影日時欄２０３には、報告者が報告を行う際に入力した画像および動画のうちのいずれか一方を撮影した日時を示す情報が記憶される。なお、撮影日時欄２０３には、年月日時分の形式によって表現した日時を示す情報が記憶される。
【００２４】
報告日時欄２０４には、報告者が報告を行った日時、つまり災害情報収集サーバ１００が被害情報を受け付けた日時を示す情報が記憶される。報告日時欄２０４には、年月日時分の形式によって表現した日時を示す情報が記憶される。
【００２５】
報告者欄２０５には、報告者を特定するための情報が記憶される。例えば、報告者のニックネーム、あるいは報告者の本名を示す情報が記憶される。
【００２６】
被害状況（テキスト）欄２０６には、報告者が報告を行う際に入力した被害状況を示すテキスト（文章）情報が記憶される。被害状況を示すテキスト情報とは、任意の文章表現で被害状況を表現した情報をいう。
【００２７】
被害状況（画像および動画）欄２０７には、報告者が報告を行う際に入力した画像および動画のうちのいずれか一方のファイル名称の情報が記憶される。なお、その画像および動画のうちのいずれか一方のファイルは、情報提供端末１７０が備える撮影機能によって生成されたファイルまたは別の映像機器によって撮影されたファイルである。
【００２８】
被害位置取得方法欄２０８には、被害位置欄２０１に記憶した情報が入力された方法を示す情報が記憶される。なお、その情報は、画像データ、住所、地図などの所定の入力方法の名称を示す情報である。
【００２９】
報告位置取得方法欄２０９には、報告位置欄２０２に記憶した情報が入力された方法を示す情報が記憶される。なお、報告位置取得方法欄２０９には、避難所からの報告、ＧＰＳ、などの所定の入力方法の名称を示す情報が記憶される。
【００３０】
確認状況欄２１０には、被害情報に偽りが無いことを確認した自治体職員や消防などの機関の名称（例えば消防）が記憶される。
【００３１】
目撃者数欄２１１には、その被害情報について、被害現場を目撃した人数に関する情報が記憶される。
【００３２】
関連情報欄２１２には、被害情報について、その被害と類似する（位置が同じで階が違う、あるいは同じ現場だが報告内容が多少異なる、等）被害の報告の件数が記憶される。
【００３３】
情報信頼度欄２１３には、被害情報についての、後述する方法により算出した情報の信頼度が記憶される。
【００３４】
なお、被害情報とは、被害状況を特定する情報をいい、具体的には、上記の被害が発生している現場の位置と、報告者が報告を行う際に入力した画像および動画のうちのいずれか一方を撮影した日時を示す情報と、被害状況を示すテキスト（文章）情報または報告者が報告を行う際に入力した画像および動画のうちのいずれか一方のファイル名称の情報と、を含む。
【００３５】
図３に、報告位置情報テーブル３００の構成例を示す。報告位置情報テーブル３００は、報告場所欄３０１と、位置欄３０２と、情報提供端末ＩＰアドレス欄３０３と、接続パラメータ欄３０４と、を有する。
【００３６】
報告場所欄３０１には、報告者が報告を行った位置として特定される施設の施設名を示す情報が記憶される。
【００３７】
位置欄３０２には、報告場所３０１を緯度経度により表現した座標を示す情報が記憶される。
【００３８】
情報提供端末ＩＰアドレス欄３０３には、報告者が報告を行った施設の中に設置された情報提供端末１７０のＩＰアドレスを示す情報が複数件記憶される。
【００３９】
接続パラメータ欄３０４には、報告者が報告を行った施設ごとに付与される識別子を含んだ接続パラメータを示す情報が記憶される。
【００４０】
図４に、信頼度スコアテーブル４００の構成例を示す。信頼度スコアテーブル４００は、カテゴリ欄４０１と、信頼度算出項目欄４０２と、信頼度スコア欄４０３と、を有する。
【００４１】
カテゴリ欄４０１には、信頼度算出項目欄４０２に指定した信頼度算出の区分を示す情報が記憶される。例えば、信頼度算出の区分には、報告位置入力方法や、被害位置入力方法、被害位置と報告位置の距離などがある。
【００４２】
信頼度算出項目欄４０２には、信頼度を計算する際の評価項目を示す情報が記憶される。例えば、GPSの座標情報、IPアドレスによる施設の座標情報、識別パラメータによる施設の座標情報、などの情報が評価項目として記憶される。
【００４３】
信頼度スコア欄４０３には、信頼度を計算する際に使用する信頼度スコアを示す情報が記憶される。信頼度スコアは、信頼度算出項目欄４０２に設定された値に対応する値が設定される。
【００４４】
なお、カテゴリ欄４０１、信頼度算出項目欄４０２、信頼度スコア欄４０３には、予め設定された値が記憶されている。
【００４５】
制御部１３０は、被害情報取得部１３１と、被害位置情報取得部１３２と、報告位置情報取得部１３３と、情報信頼度算出部１３４と、情報表示部１３５と、を有している。
【００４６】
被害情報取得部１３１は、情報提供端末１７０から入力された被害情報とを受け付け、受け付けた被害情報を被害情報テーブル２００に記憶するよう記憶部１２０に指示する。具体的には、情報提供端末１７０から入力された被害情報を受け付けると、受け付けた情報のうちから、撮影日時と、報告者と、被害状況（テキスト）と、被害状況（画像および動画）と、を、それぞれ、被害情報テーブル２００の撮影日時欄２０３と、報告者欄２０５と、被害状況（テキスト）欄２０６と、被害状況（画像および動画）欄２０７と、に記憶させるよう記憶部１２０に指示を行う。
【００４７】
そして、あわせて、被害情報取得部１３１は、被害情報を受け付けた日時を、被害情報テーブル２００の報告日時欄２０４に記憶させるよう記憶部１２０に指示を行う。
【００４８】
被害位置情報取得部１３２は、情報提供端末１７０から入力された被害情報に関連する情報である被害位置の情報を受け付け、受け付けた被害位置の情報を被害情報テーブル２００に記憶するよう記憶部１２０に指示する。
【００４９】
ここで、被害位置の情報とは、被害発生地の緯度経度情報をいう。情報提供端末１７０から受け付けた被害状況が記録された画像ファイルまたは映像ファイル中に撮影地の緯度経度情報が含まれている場合は、その緯度経度情報を取得して、その緯度経度情報の取得方法（「画像データ」）とともに、被害情報テーブル２００に記憶するよう記憶部１２０に指示する。なお、緯度経度情報が含まれる画像ファイルまたは映像ファイルは、ＧＰＳ（Global Positioning System）などの位置情報取得機能を搭載した映像機器等によって生成されるものである。
【００５０】
また、受け付けた画像ファイルまたは映像ファイル中に緯度経度情報が含まれていない場合や、画像ファイルまたは映像ファイル名が入力されない場合は、被害位置情報取得部１３２は、情報提供端末１７０に被害位置を選択入力させる画面の表示のための情報を送信して、情報提供端末１７０の出力装置１７２に表示させる。そして、報告者から被害位置入力方法の選択を受け付け、選択された被害位置入力方法に対応する入力画面の表示のための情報を情報提供端末１７０の画面に表示させて、被害位置の入力を受け付ける。
【００５１】
なお、被害位置情報取得部１３２は、被害位置の入力方法として、「住所による入力」と、「情報提供端末に提示された地図による位置の指定」、「緯度経度情報の直接入力」、のいずれかを受け付ける。
【００５２】
被害位置情報取得部１３２は、「住所による入力」、「情報提供端末に提示された地図による位置の指定」のいずれかによって入力された情報を受け付けると、受け付けた入力を地理情報システム１６０に送信する。地理情報システム１６０は、送信された入力をもとに緯度経度情報に変換する。そして、被害位置情報取得部１３２は、地理情報システム１６０から緯度経度情報を受信し、被害情報テーブル２００の被害位置欄２０１に記憶させるよう記憶部１２０に指示する。また、あわせて、選択された被害位置の入力方法を、被害情報テーブル２００の被害位置取得方法欄２０８に記憶するよう記憶部１２０に指示する。
【００５３】
報告位置情報取得部１３３は、情報提供端末１７０から入力された被害情報の報告位置を示す情報を被害情報テーブル２００の報告位置欄２０２に、報告位置の情報の取得方法を示す情報を報告位置取得方法欄２０９に記憶するよう記憶部１２０に指示する。
【００５４】
ここで、報告位置の情報とは、報告者が報告を行っている場所の緯度経度情報をいう。ＧＰＳや無線ＬＡＮなどの位置情報取得機能つき携帯端末を用いた報告であれば、報告位置情報取得部１３３は、当該端末から送信される位置情報を取得して、これを報告位置として報告位置欄２０２に、報告位置取得方法欄２０９に「ＧＰＳ」という文字列を記憶させるよう記憶部１２０に指示する。
【００５５】
情報提供端末１７０のＩＰアドレスを受信し、そのＩＰアドレスが図３に示す報告位置情報テーブル３００の情報提供端末ＩＰアドレス欄３０３に登録されているＩＰアドレスであれば、報告位置情報取得部１３３は、そのＩＰアドレスに対応する位置欄３０２の情報を取得して、報告位置欄２０２に記憶させるよう記憶部１２０に指示し、報告位置取得方法欄２０９に「（報告場所）からの報告」という文字列を記憶するよう記憶部１２０に指示する。
【００５６】
なお、上記の（報告場所）には、報告位置情報取得部１３３が、報告位置情報テーブル３００の報告場所欄３０１の情報を置き換えて文字列を作成する。また、報告位置情報テーブル３００に登録されているＩＰアドレスを受信していない場合は、報告位置情報取得部１３３は、情報提供端末１７０から送信された接続パラメータを受信し、その接続パラメータが図３に示す報告位置情報テーブル３００の接続パラメータ欄３０４に記憶されている接続パラメータの情報と同一であれば、報告位置情報取得部１３３は、その接続パラメータに対応する位置欄３０２の情報を取得して、報告位置欄２０２に記憶させるよう記憶部１２０に指示する。また、報告位置取得方法欄２０９に「（報告場所）からの報告」という値を記憶させるよう記憶部１２０に指示する。
【００５７】
なお、上記の（報告場所）には、報告位置情報取得部１３３が、報告位置情報テーブル３００の報告場所欄３０１の情報に置き換えて文字列を作成する。接続パラメータとしては、例えば、報告場所（例えば避難所）ごとに固有の値を予め設定したものを使用する。
【００５８】
具体的には、その報告場所ごとの固有の値を災害情報収集サーバ１００への接続情報、例えばＵＲＬ（Uniform Resource Locator）の中に埋め込んでおき、そのＵＲＬを２次元コード化して当該報告場所に掲示することで予め公開しておき、これを読み取って情報提供端末１７０がＵＲＬとともに接続パラメータを送信する。
【００５９】
ここで、報告位置情報取得部１３３は、上記いずれの方法によっても報告位置を取得できない場合は、情報提供端末１７０に報告位置の入力方法を選択させる画面を表示するための情報を送信して、情報提供端末１７０の出力装置１７２に選択された報告位置入力方法を表示させて、報告位置の入力を受け付ける。
【００６０】
なお、報告位置情報取得部１３３は、報告位置の入力方法として、「住所による入力」、「情報提供端末に提示された地図上の位置の指定」、「緯度経度情報の直接入力」のいずれかを受け付ける。
【００６１】
報告位置の入力方法が「住所による入力」、「情報提供端末に提示された地図上の位置の指定」として指定された場合には、報告位置情報取得部１３３は、受け付けた報告位置の入力情報を地理情報システム１６０に送信する。そして、地理情報システム１６０は、送信された入力をもとに緯度経度情報に変換する。そして、報告位置情報取得部１３３は、地理情報システム１６０から緯度経度情報を受信し、被害情報テーブル２００の報告位置欄２０２に記憶させるよう記憶部１２０に指示する。さらに、被害位置の入力方法の情報を報告位置取得方法欄２０９に記憶させるよう記憶部１２０に指示する。
【００６２】
情報信頼度算出部１３４は、情報提供端末１７０から入力された被害情報に関する信頼度を算出し、被害情報テーブル２００の情報信頼度欄２１３に記憶させる記憶部である。情報信頼度を算出するために、情報信頼度算出部１３４は、信頼度スコアテーブル４００を利用する。
【００６３】
具体的には、情報信頼度算出部１３４は、被害情報テーブル２００の各レコードを対象として、信頼度スコアテーブル４００の信頼度算出項目４０２の条件を満たすか否かをそれぞれの条件ごとに判定する。
【００６４】
そして、判定の結果、条件を満たす項目があればその項目に対応する信頼度スコア欄４０３の値を取得する。そして、条件を満たす項目に対応する信頼度スコア欄４０３の値を加算して、レコードごとに合計値を算出する。
【００６５】
情報信頼度算出部１３４は、加算した結果得られた合計値を信頼度スコアとして被害情報テーブル２００の情報信頼度欄２１３に記憶させる。対象とする被害情報テーブル２００のレコードについて情報信頼度２１３に信頼度を記憶させ終えると、情報信頼度算出部１３４はその処理を終了する。
【００６６】
例を挙げて、上記の情報信頼度算出部１３４の処理を詳しく説明する。
【００６７】
図４に示す信頼度スコアテーブル４００には、そのカテゴリとして報告位置入力方法と、被害位置入力方法と、被害位置と報告位置の距離と、撮影日時と報告日時の差と、被害位置から報告位置への移動速度が記憶されている。
【００６８】
ここで、報告位置入力方法のカテゴリに属する信頼度算出項目には、ＧＰＳの座標情報やＩＰアドレスによる施設の座標情報、等がある。
【００６９】
情報信頼度算出部１３４は、図２に示す被害情報テーブル２００のレコードのうち、情報信頼度２１３の値が算出されていないレコードを対象として抽出する。そして、情報信頼度算出部１３４は、抽出したレコードの一つについて、報告位置取得方法欄２０９の情報を取得し、信頼度スコアテーブル４００の報告位置入力方法に分類されるカテゴリに属する信頼度算出項目欄４０２の値と比較する。そして、情報信頼度算出部１３４は、信頼度算出項目欄４０２の値に、報告位置取得方法欄２０９に対応する値があれば、その対応する信頼度スコア欄４０３の値を取得する。
【００７０】
そして、同様に、情報信頼度算出部１３４は、抽出したレコードの一つについて、被害位置取得方法欄２０８の情報を取得し、信頼度スコアテーブル４００の被害位置入力方法に分類されるカテゴリに属する信頼度算出項目欄４０２の値と比較する。そして、情報信頼度算出部１３４は、信頼度算出項目欄４０２の値に、報告位置取得方法欄２０９に対応する値があれば、その対応する信頼度スコア欄４０３の値を取得する。
【００７１】
同様に、情報信頼度算出部１３４は、抽出したレコードの一つについて、被害位置欄２０１の座標情報と報告位置欄２０２の座標情報を取得し、地理情報システム１６０にその座標間を結ぶ経路の道のりを算出するように依頼し、道のりを取得する。そして、信頼度スコアテーブル４００の被害位置と報告位置の距離に分類されるカテゴリに属する信頼度算出項目欄４０２の値（同一、５００ｍ以内、２０００ｍ以内、２００１ｍ超）のどの範囲に属するかを判定する。そして、情報信頼度算出部１３４は、属する範囲の信頼度算出項目欄４０２に対応する信頼度スコア欄４０３の値を取得する。
【００７２】
そして、情報信頼度算出部１３４は、抽出したレコードの一つについて、撮影日時欄２０３の日時を示す情報と報告日時欄２０４の日時を示す情報を取得し、その日時の差を算出する。そして、信頼度スコアテーブル４００の撮影日時と報告日時の差に分類されるカテゴリに属する信頼度算出項目欄４０２の値（５分以内、６０分以内、２４０分以内、２４０分超）のどの範囲に属するかを判定する。そして、情報信頼度算出部１３４は、属する範囲の信頼度算出項目欄４０２に対応する信頼度スコア欄４０３の値を取得する。
【００７３】
そして、情報信頼度算出部１３４は、抽出したレコードの一つについて、被害位置欄２０１の座標情報と報告位置欄２０２の座標情報を取得し、地理情報システム１６０にその座標間を結ぶ経路の道のりを算出するように依頼し、道のりを取得する。そして、撮影日時欄２０３の日時を示す情報と報告日時欄２０４の日時を示す情報を取得し、その日時の差を算出する。情報信頼度算出部１３４は、算出した道のりを、算出した日時の差で割り、その移動に係る平均時速を求める。例えば、下式１を用いて平均時速を求める。
【００７４】
平均時速（ｋｍ／ｈ）＝道のり（ｋｍ）÷日時の差（秒）×３６００・・・式１
なお、日時の差が０秒の場合には、平均時速は０ｋｍ／ｈであるとみなし、式１を用いた計算を行わない。
【００７５】
そして、信頼度スコアテーブル４００の被害位置から報告位置への移動速度に分類されるカテゴリに属する信頼度算出項目欄４０２の値（１０ｋｍ／ｈ以内、２０ｋｍ／ｈ以内、４０ｋｍ／ｈ以内、４０ｋｍ／ｈ超）のどの範囲に属するかを判定する。そして、情報信頼度算出部１３４は、属する範囲の信頼度算出項目欄４０２に対応する信頼度スコア欄４０３の値を取得する。
【００７６】
このようにして、情報信頼度算出部１３４は、各カテゴリに該当する信頼度算出項目を特定し、その対応する信頼度スコア欄４０３の値を取得する。
【００７７】
そして、取得した信頼度スコア欄４０３を報告情報ごとに合算し、情報信頼度として被害情報テーブル２００の情報信頼度欄２１３に記憶するよう記憶部１２０に指示する。
【００７８】
情報表示部１３５は、情報提供端末１７０などから情報を表示するよう要求を受信すると、被害情報テーブル２００から各種の情報（被害位置欄２０１と、報告位置欄２０２と、撮影日時欄２０３と、報告日時欄２０４と、報告者欄２０５と、被害状況（テキスト）欄２０６と、被害状況（画像および動画）欄２０７と、被害位置取得方法欄２０８と、報告位置取得方法欄２０９と、確認状況欄２１０と、目撃者数欄２１１と、関連情報欄２１２と、情報信頼度欄２１３と、に記憶されている情報のうち、所定の情報）を取得して、表示させる画面を作成し、要求元へ送信する機能部である。
【００７９】
次に、本発明の方法の一実施の形態を示す災害情報収集システム１を構成するハードウェアについて、図５を用いて説明する。
【００８０】
図５に示す本実施形態では、情報提供端末１７０は、ネットワーク１５０を介して、災害情報収集サーバ１００と接続することができる。
【００８１】
災害情報収集サーバ１００は、入力装置１１１と、出力装置１１２と、通信装置１１３と、中央演算装置１１４と、主記憶装置１１５と、補助記憶装置１１６と、それぞれを接続するバス１１７と、を有する。
【００８２】
ここで、入力装置１１１はキーボードやマウス、あるいはタッチペンなどの入力を受け付ける装置であり、出力装置１１２はディスプレイなどの表示を行う装置である。
【００８３】
通信装置１１３は、ネットワーク１５０などのネットワークを介して他の装置と通信を行う装置である。
【００８４】
中央演算装置１１４は、例えばＣＰＵなどの演算装置であり、主記憶装置１１５は、例えばＲＡＭなどのメモリ装置であり、補助記憶装置１１６は、例えばハードディスク装置やフラッシュメモリなどの不揮発性記憶装置である。
【００８５】
情報提供端末１７０は、入力装置１７１と、出力装置１７２と、中央演算装置１７３と、主記憶装置１７４と、補助記憶装置１７５と、通信装置１７６と、これらを互いに接続するバス１７７と、を有する。
【００８６】
ここで、入力装置１７１はキーボードやマウス、あるいはタッチペン、その他ポインティングデバイスなどの入力を受け付ける装置であり、出力装置１７２はディスプレイなどの表示を行う装置である。
【００８７】
中央演算装置１７３は、例えばＣＰＵなどの演算装置であり、主記憶装置１７４は、例えばＲＡＭなどのメモリ装置であり、補助記憶装置１７５は、例えばハードディスク装置やフラッシュメモリなどの不揮発性記憶装置である。
【００８８】
通信装置１７６は、ネットワーク１５０などのネットワークを介して他の装置と通信を行う装置である。
【００８９】
情報提供端末１７０の通信装置１７６は、ネットワーク１５０を通じて、災害情報収集サーバ１００の通信装置１１３と通信を行うことができる。
【００９０】
ここで、ネットワーク１５０は、インターネットや公衆用の無線ＬＡＮなどの公衆網であるが、その他ケーブルテレビ網や携帯電話網などのネットワーク、あるいは電力線ネットワーク等でもよい。
【００９１】
被害情報取得部１３１と、被害位置情報取得部１３２と、報告位置情報取得部１３３と、情報信頼度算出部１３４と、は、災害情報収集サーバ１００の中央演算装置１１４に処理を行わせるプログラムによって実現される。このプログラムは主記憶装置１１５または補助記憶装置１１６内に記憶され、実行にあたって主記憶装置１１５上にロードされ、中央演算装置１１４により実行される。
【００９２】
次に、本実施形態における災害情報収集に関する処理のフローについて、図に基づき説明する。
【００９３】
図６は、本実施形態の災害情報収集方法の実施手順例１を示すフロー図である。
【００９４】
まず、被害情報取得部１３１は、被害情報の一部である画像や動画などの情報を受け付けて、被害情報テーブル２００に記録するよう記憶部１２０に指示する（ステップＳ７０１）。
【００９５】
具体的には、本実施形態では、被害情報取得部１３１は、被害情報入力要求を受けると、図８に示す被害情報入力画面５００を情報提供端末１７０の画面に表示させるための情報を作成し、情報提供端末１７０に送信する。
【００９６】
そして、被害情報取得部１３１は、被害情報入力画面５００を介して入力され送信された情報を受信し、その情報に画像や動画の情報が含まれていれば、その画像や動画の情報のファイル名を被害情報テーブル２００の被害状況（画像および動画）欄２０７に記憶させ、その画像や動画の情報のファイルから撮影日時の情報を取得して撮影日時２０３欄に記憶させ、その画像や動画の情報のファイルを記憶部１２０の被害情報記憶部１２１に記憶させるように記憶部１２０に指示する。
【００９７】
ここで、図８の被害情報入力画面５００について説明する。図８に示す被害情報入力画面５００は、被害情報のうち画像または映像の入力を受け付ける画面である。被害情報入力画面５００は、被害状況を示す画像あるいは動画のファイル名を入力する被害画像ファイル名入力領域５０１と、画像なしボタン５０２と、画像送信ボタン５０３と、を有する。このうち、画像送信ボタン５０３は、被害画像ファイル名入力領域５０１に入力したファイル名で指定される画像あるいは映像の情報を被害情報取得部１３１に送信するよう指令を発生させるボタンである。また、画像なしボタン５０２は、画像や映像の送信を行わずに次の画面へ画面を遷移させるためのボタンである。
【００９８】
次に、報告位置情報取得部１３３は、情報提供端末１７０から送信されたＵＲＬ（Uniform Resource Locator）情報またはそのヘッダー情報に緯度経度に関する情報が含まれているか否かを判定する（ステップＳ７０２）。緯度経度に関する情報が含まれている場合（ステップＳ７０２でＹｅｓ）には、以降のステップＳ７０３〜Ｓ７０７の処理を実施せず、その緯度経度に関する情報を取得し、報告位置の取得方法の情報を「ＧＰＳ」として設定し、後述するステップＳ７０８にその制御を移す。
【００９９】
映像情報に緯度経度に関する情報が含まれていない場合（ステップＳ７０２でＮｏ）には、報告位置情報取得部１３３は、情報を送信した情報提供端末１７０から送信された情報に含まれるＩＰアドレスを取得する（ステップＳ７０３）。
【０１００】
次に、報告位置情報取得部１３３は、報告位置情報テーブル３００の情報提供端末ＩＰアドレス欄３０３に記憶されたいずれかのＩＰアドレスと、取得したＩＰアドレスとが一致するか否かを判定する（ステップＳ７０４）。報告位置情報テーブル３００に記憶されているＩＰアドレスのいずれかと、取得したＩＰアドレスと、が一致する場合（ステップＳ７０４でＹｅｓ）には、報告位置情報取得部１３３は、その一致するＩＰアドレスを含む報告位置情報テーブル３００のレコードを特定し、その特定したレコードの位置欄３０２に記憶された情報を緯度経度に関する情報として取得し、報告場所欄３０１に記憶された情報と「からの報告」という文字列とを結合させた文字列を報告位置の取得方法の情報として取得する。そして、報告位置情報取得部１３３は、以降のステップＳ７０５〜Ｓ７０７の処理を実施せず、後述するステップＳ７０８にその制御を移す。
【０１０１】
報告位置情報テーブル３００に記憶されているＩＰアドレスのいずれにも、取得したＩＰアドレスが一致しない場合（ステップＳ７０４でＮｏ）には、報告位置情報取得部１３３は、情報を送信した情報提供端末１７０から送信された情報、とくにＵＲＬのヘッダー情報に含まれる接続パラメータを取得する（ステップＳ７０５）。
【０１０２】
報告位置情報取得部１３３は、報告位置情報テーブル３００の接続パラメータ欄３０４に記憶されたいずれかの接続パラメータと、取得した接続パラメータとが一致するか否かを判定する（ステップＳ７０６）。報告位置情報テーブル３００に記憶されている接続パラメータのいずれかと、取得した接続パラメータと、が一致する場合（ステップＳ７０６でＹｅｓ）には、報告位置情報取得部１３３は、その一致する接続パラメータを含む報告位置情報テーブル３００のレコードを特定し、特定したレコードの位置欄３０２に記憶された情報を緯度経度に関する情報として取得し、報告場所欄３０１に記憶された情報と「からの報告」という文字列とを結合させた文字列を報告位置の取得方法の情報として取得する。そして、報告位置情報取得部１３３は、続くステップＳ７０７の処理を実施せず、後述するステップＳ７０８にその制御を移す。
【０１０３】
次に、報告位置情報テーブル３００に記憶されている接続パラメータのいずれにも、取得した接続パラメータが一致しない場合（ステップＳ７０６でＮｏ）には、報告位置情報取得部１３３は、情報を送信した情報提供端末１７０に対して、図９に示す被害報告位置入力画面６００を表示させ、図７に示す位置の入力受付処理を実施して緯度経度に関する情報と報告位置の取得方法の情報を取得する（ステップＳ７０７）。なお、位置の入力受付処理の処理内容については、別途後述する。
【０１０４】
次に、報告位置情報取得部１３３は、ステップＳ７０１〜Ｓ７０７にて取得した、報告位置の取得方法の情報と、緯度経度に関する情報を、被害情報テーブル２００の報告位置取得方法欄２０９と、報告位置欄２０２と、にそれぞれ記録するよう、記憶部１２０に指示する（ステップＳ７０８）。
【０１０５】
次に、被害位置情報取得部１３２は、ステップＳ７０１にて報告位置情報取得部１３１が受信した画像及び動画の映像情報に含まれる緯度経度に関する情報を取得する（ステップＳ７０９）。ここで、受信した映像情報に緯度経度に関する情報が含まれない場合には、緯度経度に関する情報を取得せずに続くステップＳ７１０を実施する。
【０１０６】
そして、被害位置情報取得部１３２は、ステップＳ７０９で緯度経度に関する情報を取得したか否かを判定する（ステップＳ７１０）。ステップＳ７０９で緯度経度に関する情報が取得できた場合（ステップＳ７１０でＹｅｓ）には、被害位置情報取得部１３２は、以降のステップＳ７１１の処理を実施せず、被害位置の取得方法の情報を「ＧＰＳ」に設定して、後述するステップＳ７１２にその制御を移す。
【０１０７】
ステップＳ７０９で緯度経度に関する情報が取得できなかった場合（ステップＳ７１０でＮｏ）には、被害位置情報取得部１３２は、情報を送信した情報提供端末１７０に対して、図９に示す被害報告位置入力画面６００を表示させ、図７に示す位置の入力受付処理を実施して緯度経度に関する情報と報告位置の取得方法の情報を取得する（ステップＳ７１１）。なお、位置の入力受付処理の処理内容については、別途後述する。
【０１０８】
ここで、図９の被害報告位置入力画面６００について説明する。図９に示す被害報告位置入力画面６００は、被害位置の情報と報告位置の情報の入力を受け付ける画面である。
【０１０９】
被害報告位置入力画面６００は、報告者が報告入力を行う位置６２１とその周辺を示す地図を示す地図表示エリア６０１を有する。この地図表示エリア６０１は、地理情報システム１６０から得た地図情報から作成されており、その表示する地図上の地点を指定する入力をもとに、地理情報システム１６０にその入力を送信し、その地点の地図上の座標を特定することができる。
【０１１０】
なお、この地図表示エリア６０１に示す地図上に表示する場合には、被害の発生した位置６１１についてもその地図上に表示する。そしてさらに、被害報告位置入力画面６００は、ステップＳ７０１で受け付けた被害状況を示す画像あるいは動画、に含まれる被害位置を、その位置が含まれる住所に変換し表示する被害住所エリア６１２と、その被害位置の座標を表示する被害座標エリア６１３と、報告入力を行っている位置エリア６２１を、その位置が含まれる住所に変換し表示する報告住所エリア６２２と、その報告位置の座標を表示する報告座標エリア６２３と、ステップＳ７０１で受け付けた被害状況を示す画像あるいは動画を表示させる被害画像映像表示領域６０２と、を有する。
【０１１１】
次に、被害位置情報取得部１３２は、ステップＳ７１０,Ｓ７１１にて取得した、被害位置の取得方法の情報と、緯度経度に関する情報と、を、被害情報テーブル２００の被害位置取得方法欄２０８と、被害位置欄２０１と、に、記憶部１２０に記憶するよう指示する（ステップＳ７１２）。
【０１１２】
そして、被害情報取得部１３１は、図１０に示す被害情報入力画面（追加）７００を情報提供端末１７０に表示するための情報を送信し、撮影日時、発見日時、報告者および被害状況についての情報の入力を受け付ける。
【０１１３】
そして、被害情報テーブル２００の撮影日時欄２０３に、受け付けた撮影日時についての情報を記憶させ、発見日時の入力を受け付けた場合には撮影日時欄２０３に、受け付けた発見日時についての情報を削除して記憶させ、報告者欄２０５に、受け付けた報告者についての情報を記憶させ、被害状況（テキスト）欄２０６に、受け付けた情報を記憶させ、報告日時欄２０４に、処理時点の年月日日時を記憶させる（ステップＳ７１３）。
【０１１４】
ここで、図１０の被害情報入力画面（追加）７００について説明する。図１０に示す被害情報入力画面（追加）７００は、被害情報に関連する情報の入力を受け付ける画面である。被害情報入力画面（追加）７００は、被害状況を示す画像あるいは動画を表示させる被害画像映像表示領域７０１と、被害画像映像の撮影日時を表示する撮影日時表示領域７０２と、撮影日時の修正情報あるいは報告者が被害を発見した時刻の入力を受け付ける発見日時入力領域７０３と、テキスト形式で被害状況を表す情報の入力を受け付ける被害状況入力領域７０４と、報告者を識別するためにニックネームや本名の入力を受け付ける報告者入力領域７０５と、入力した被害情報に関連する情報を被害情報取得部１３１に対して送信するよう指令を発生させる送信ボタン７０６と、を有する。
【０１１５】
なお、ステップＳ７０１にて、被害情報取得部１３１が被害状況についての画像あるいは映像を受け付けていた場合には、被害情報取得部１３１は、予め被害情報入力画面（追加）７００の被害画像映像表示領域７０１に受け付けたその被害状況についての画像あるいは映像を表示させ、撮影日時表示領域７０２に、受け付けた被害画像映像の撮影日時を表示させるための情報を送信する。
【０１１６】
次に、情報信頼度算出部１３４は、被害情報テーブル２００の各レコードについて、情報信頼度を算出し、情報信頼度２１３に記憶させる（ステップＳ７１４）。
【０１１７】
具体的には、情報信頼度算出部１３４は、被害情報テーブル２００の各レコードのうち、情報信頼度２１３に値が記憶されていないレコードを対象として、そのレコードごとに、信頼度スコアテーブル４００の信頼度算出項目４０２の条件に該当するか否かを判定し、該当する条件に対応する信頼度スコア欄４０３の値を取得する。そして、取得した値をレコードごとに合算して、信頼度スコアの合計値を算出する。
【０１１８】
なお、この合計値の算出に当たっては、情報信頼度算出部１３４は、被害情報テーブル２００の確認状況２１０に値の設定があるか否かを判定し、値の設定があれば公的機関による確認が行われた情報であるとみなして、情報信頼度の合計値にかかわらず、所定の値であって合計値のとりうる値の最大よりも大きな値（例えば、５００）などを合計値とする。
【０１１９】
そして、情報信頼度算出部１３４は、得られた合計値を信頼度スコアとして被害情報テーブル２００の情報信頼度欄２１３に記憶するよう記憶部１２０に指示する。そして、対象とする被害情報テーブル２００のレコードのすべてについて、上記判定を繰り返し、情報信頼度欄２１３に信頼度を記憶させるよう記憶部１２０に指示する。
【０１２０】
そして、例えば、情報表示部１３５は、情報提供端末１７０、あるいは図示しない情報閲覧用端末、から情報表示要求を受信すると、被害情報テーブル２００のレコードから、情報信頼度欄２１３の値が所定の値以上である情報を信頼度の高い情報として取得し、これを情報信頼度の高い順に一レコードごとに被害を示す情報として表示させる画面を作成し、情報表示を要求した端末に送信し、表示させる。例えば、被害を示す情報は、被害情報テーブル２００に記憶されたレコードから取得した被害位置、撮影日時、被害状況（テキスト）、被害状況（画像及び動画）、および情報信頼度である。
【０１２１】
また、情報表示部１３５が表示した被害を示す情報を表示させる画面から、一件の情報を選択して、その情報に関する管理情報を入力することも可能である。
【０１２２】
被害情報取得部１３１は、表示させた画面から一件の情報の選択指示を受け付けると、図１１に示すような被害情報管理画面８００を表示させる情報を情報提供端末１７０に送信する。
【０１２３】
ここで、図１１の被害情報管理画面８００について説明する。図１１に示す被害情報管理画面８００は、管理情報の入力を受け付ける画面である。被害情報管理画面８００は、被害状況を示す画像あるいは動画を表示させる被害画像映像表示領域８０１と、被害画像および映像の撮影日時を表示する撮影日時表示領域８０２と、報告者が被害を発見した時刻を表示させる報告日時表示領域８０３と、テキスト形式で被害状況を表す情報を表示する被害状況表示領域８０４と、報告者のニックネームや本名を表示する報告者表示領域８０５と、確認を行った公的機関の機関名の入力を受け付ける確認者入力領域８０６と、その被害現場が目撃され、報告された件数の入力を受け付ける目撃者数入力領域８０７と、関連する被害に関する情報の件数の入力を受け付ける関連情報入力領域８０８と、入力した管理情報を被害情報取得部１３１に対して送信する指令を受け付け、入力した管理情報を送信する送信ボタン８０９と、を有する。
【０１２４】
なお、被害情報管理画面８００を情報提供端末１７０に表示させる際には、以下のように各領域を表示させる。被害画像映像表示領域８０１には、被害情報テーブル２００の被害状況（画像および動画）欄２０７にて示されるファイル名に相当する画像および動画データを表示させる。撮影日時表示領域８０２には、被害情報テーブル２００の撮影日時欄２０３にて示される撮影日時を表示させる。報告日時表示領域８０３には、被害情報テーブル２００の報告日時欄２０４にて示される報告日時を表示させる。被害状況表示領域８０４には、被害情報テーブル２００の被害状況（テキスト）欄２０６にて示される被害状況を表示させる。報告者表示領域８０５には、被害情報テーブル２００の報告者欄２０５にて示される報告者名を表示させる。確認者入力領域８０６には、初期情報として、被害情報テーブル２００の確認状況欄２１０にて示される確認機関名を表示させる。目撃者数入力領域８０７には、初期情報として、被害情報テーブル２００の目撃者数欄２１１にて示される目撃者数を表示させる。関連情報入力領域８０８には、初期情報として、被害情報テーブル２００の関連情報欄２１２にて示される関連情報の数を表示させる。
【０１２５】
送信ボタン８０９は、入力した管理情報を被害情報取得部１３１に対して送信する指令を受け付けると、確認者入力領域８０６と、目撃者数入力領域８０７と、関連情報入力領域８０８と、に入力された情報を被害情報取得部１３１に送信する。
【０１２６】
次に、被害情報取得部１３１は、確認者入力領域８０６と、目撃者数入力領域８０７と、関連情報入力領域８０８と、に入力された情報を含む情報を受信すると、それぞれ、被害情報テーブル２００の確認状況欄２１０、目撃者数欄２１１、関連情報欄２１２に受信した情報を記憶させるよう記憶部１２０に指示する。
【０１２７】
そして、情報信頼度算出部１３４は、記憶を指示した情報に対して、情報信頼度を算出し、算出した情報信頼度を被害情報テーブル２００の情報信頼度欄２１３に記憶させるよう記憶部１２０に指示する。なお、この際、確認状況欄２１０に何らかの値が設定されていれば、信頼度スコアテーブル４００に規定する信頼度の合計の最大値より十分に大きな所定の値（本実施例では、例えば５００）をその情報の信頼度とする。
【０１２８】
以上の処理により、被害情報に関する管理情報を入力することができる。
【０１２９】
以上が、本実施例の被害情報受付処理のフローである。
【０１３０】
次に、前述のステップＳ７０７とＳ７１１の説明にて、後述する旨述べた位置の入力受付処理について、その処理フローを説明する。
【０１３１】
図７は、本実施形態の、位置の入力受付処理を示すフロー図である。
【０１３２】
まず、位置情報取得部（ステップＳ７０７から実行される場合には報告位置情報取得部１３２、ステップＳ７１１から実行される場合には報告位置情報取得部１３３、以下同様）は、図９に示す被害報告位置入力画面６００を情報提供端末１７０の画面に表示させるための情報を情報提供端末１７０に対して送信する（ステップＳ９０１）。なお、この被害報告位置入力画面６００を表示させる際には、位置情報取得部は、情報提供方法に応じた入力エリアを表示させるための情報をあわせて情報提供端末１７０に送信する。例えば、位置情報取得部は、報告位置情報をそれまでの処理ステップにおいて既に取得できている場合には、報告位置情報の入力エリア（報告住所エリア６２２と、報告座標エリア６２３）を入力不可の状態に設定して、既に取得済みの報告位置情報をもとに地理情報システム１６０にその位置が含まれる住所に変換させて、報告住所エリア６２２に表示させる。またあわせて、報告位置情報を報告座標エリア６２３に表示させる。ここで、位置情報取得部が、被害位置情報をそれまでの処理ステップにおいて既に取得できている場合には、被害位置情報の入力エリア（被害住所エリア６１２と、被害座標エリア６１３）を入力不可の状態に設定して、既に取得済みの被害位置情報をもとに地理情報システム１６０にその位置が含まれる住所に変換させて、被害住所エリア６１２に表示させる。またあわせて、被害位置情報を被害座標エリア６１３に表示させる。
【０１３３】
次に、位置情報取得部は、情報提供端末１７０から送信された情報を受信し、位置情報入力方法を特定する（ステップＳ９０２）。まず、位置情報取得部は、受け付けた情報から、報告者が選択した位置情報取得方法を特定する。例えば、位置情報取得部は、地図表示エリア６０１上に表示する地図上で位置選択された地図上の座標の情報を受信した場合には、その地図上の座標の情報を受信したことをもって、位置情報取得方法は「地図からの入力」であると特定する。
【０１３４】
同様に、位置情報取得部は、被害住所エリア６１２の入力情報を受信した場合には、位置情報取得方法は「住所入力」であると特定し、被害座標エリア６１３の入力情報を受信した場合には、位置情報取得方法は「緯度経度入力」であると特定する。さらに同様に、報告位置の入力が有る場合には、位置情報取得部は、報告住所エリア６２２の入力情報を受信した場合には、位置情報取得方法は「住所入力」であると特定し、報告座標エリア６２３の入力情報を受信した場合には、位置情報取得方法は「緯度経度入力」であると特定する。
【０１３５】
また、これらの複数の入力エリアに入力があった場合には、位置情報取得部は、予め定めた優先順位に基づいて、位置情報選択方法を特定する。
【０１３６】
次に、位置情報取得部は、ステップＳ９０２で特定した位置情報入力方法が「緯度経度入力」であったか否かを判定する（ステップＳ９０３）。ステップＳ９０２で特定した位置情報入力方法が「緯度経度入力」であった場合は（ステップＳ９０３でＹｅｓ）、受信した緯度経度情報を、位置情報として特定し、処理を終了する。
【０１３７】
ステップＳ９０２で特定した位置情報取得方法が「緯度経度入力」でなかった場合には（ステップＳ９０３でＮｏ）、位置情報取得部は、ステップＳ９０２で特定した位置情報取得方法が「地図からの入力」であるか否かを判定する（ステップＳ９０４）。ステップＳ９０２で特定した位置情報入力方法が「地図からの入力」であった場合は（ステップＳ９０４でＹｅｓ）、位置情報取得部は、受信した地図上の座標の情報から緯度経度を取得し（ステップＳ９０４）、取得した地図上の座標の情報をもとに、地理情報システム１６０に対して緯度経度に変換するよう要求し、要求の結果取得した緯度経度情報を位置情報として特定する（ステップＳ９０５）。そして、処理を終了する。
【０１３８】
ステップＳ９０２で特定した位置情報入力方法が「地図からの入力」でなかった場合は（ステップＳ９０４でＮｏ）、位置情報取得部は、受信した住所の情報を取得し（ステップＳ９０６）、取得した住所の情報をもとに、地理情報システム１６０に対して緯度経度に変換するよう要求し、要求の結果取得した緯度経度情報を位置情報として特定する（ステップＳ９０７）。そして、処理を終了する。
【０１３９】
以上が、位置の入力受付処理のフローである。
【０１４０】
本実施形態によれば、被害に関する情報の信頼度を担保しつつ、被害に関する情報を迅速に収集することが可能となる。
【０１４１】
以上、本発明の実施の形態について、その実施の形態に基づき具体的に説明したが、これに限定されるものではなく、その要旨を逸脱しない範囲で種々の変更が可能である。
【０１４２】
例えば、地理情報システム１６０は、災害情報収集サーバ１００と別のシステムとして実現されているが、これに限らず、例えば災害情報収集サーバ１００が同様の機能を備えるものであってもよい。
【０１４３】
また、例えば、情報信頼度を算出する際に、本実施形態では、ステップＳ７１４において、情報信頼度算出部１３４は、情報ごとに、該当する条件に対応する信頼度スコア欄４０３の値をレコードごとに合算して、信頼度スコアの合計値を算出しているが、これに限定されない。
【０１４４】
例えば、信頼度スコアを算出する際に、基本的な値を求め、所定の条件を満たすごとに所定の比（例えば１．２等）を乗じることで算出してもよい。
【０１４５】
また例えば、情報提供端末１７０は、ＧＰＳなどの位置検出装置を備え、被害座標と、報告座標と、をＧＰＳなどにより取得し、画像や映像にメタ情報としてその座標を埋め込み、その画像や映像を災害情報収集サーバ１００に送信してもよい。このようにすることで、図５〜図７に示す画面を情報提供端末１７０に表示することなく、簡単に災害情報収集サーバ１００に被害に関する情報を送信することができる。
【０１４６】
このようにすることで、信頼できる被害状況をさらに迅速に把握することができるようになる。
【０１４７】
なお、上記の災害情報収集システム１は、システムとして取引対象とするだけでなく、各機器単位、またはその機器の動作を実現するプログラム部品単位で取引対象とすることも可能である。
【０１４８】
以上が、本発明の実施形態である。
【図面の簡単な説明】
【０１４９】
【図１】本実施形態の災害情報収集システムの構成図である。
【図２】本実施形態における被害情報テーブルのデータ構造例を示す図である。
【図３】本実施形態における報告位置情報テーブルのデータ構造例を示す図である。
【図４】本実施形態における信頼度スコアテーブルのデータ構造例を示す図である。
【図５】本実施形態のハードウェア構成を示す図である。
【図６】本実施形態の報告情報受付処理の処理フローを示す図である。
【図７】本実施形態の位置の入力受付処理の処理フローを示す図である。
【図８】本実施形態において情報提供端末に表示される被害情報入力画面を示す図である。
【図９】本実施形態において情報提供端末に表示される被害報告位置入力画面を示す図である。
【図１０】本実施形態において情報提供端末に表示される被害情報入力画面（追加）を示す図である。
【図１１】本実施形態において情報提供端末に表示される被害情報管理画面を示す図である。
【符号の説明】
【０１５０】
１：災害情報収集システム、１００：災害情報収集サーバ、１２０：記憶部、１２１：被害情報記憶領域、１２２：報告位置情報記憶領域、１２３：信頼度記憶領域、１３０：制御部、１３１：被害情報取得部、１３２：被害位置情報取得部、１３３：報告位置情報取得部、１３４：情報信頼度算出部、１３５：情報表示部、１５０：ネットワーク、１６０：地理情報システム、１７０：情報提供端末、２００：被害情報テーブル、３００：報告位置情報テーブル、４００：信頼度スコアテーブル
【図１】
2009099024.tif 000003
【図２】
2009099024.tif 000004
【図３】
2009099024.tif 000005
【図４】
2009099024.tif 000006
【図５】
2009099024.tif 000007
【図６】
2009099024.tif 000008
【図７】
2009099024.tif 000009
【図８】
2009099024.tif 000010
【図９】
2009099024.tif 000011
【図１０】
2009099024.tif 000012
【図１１】
2009099024.tif 000013